Podtech/llm-jp-corpus-v4-ja_patent huggingface dataset:
【手続補正書】
【提出日】平成28年12月28日(2016.12.28)
【手続補正１】
【補正対象書類名】特許請求の範囲
【補正対象項目名】全文
【補正方法】変更
【補正の内容】
【特許請求の範囲】
【請求項１】
インク印刷に有用なインクベースのデジタル印刷システムであって、
画像形成面を有する画像形成部材と、
気化した湿し水を直接前記画像形成面上に向けて送り、該画像形成面上に湿し水層を形成するように構成された湿し水塗布システムであって、前記気化した湿し水が、霧状の湿し水を高温のガスに混合させることにより形成される、湿し水塗布システムと、
ノズルチャンバであって、前記霧状の湿し水を噴霧ノズルから前記ノズルチャンバの第１の端で受け取り、前記気化した湿し水を第２の端で噴射するように構成されたノズルチャンバであって、前記第１の端で受け取った前記霧状の湿し水と混合するための前記高温のガスを受け取るように構成され、前記高温のガスが前記第１の端から離れた位置でチャンバに受け取られる、ノズルチャンバと、
を含み、
前記高温のガスが前記ノズルチャンバ外部の位置で加熱される、
デジタル印刷システム。
【請求項２】
前記ノズルチャンバが、前記気化した湿し水を前記第２の端において前記チャンバから噴出するように構成されたノズル噴射口をさらに含む、
請求項１に記載のシステム。
【請求項３】
前記チャンバに接続され、加熱ガスの吸入口から前記チャンバに前記高温のガスを送るように構成された送風機をさらに含む請求項２に記載のシステム。
【請求項４】
前記気化した湿し水が、前記高温のガスにより、前記ノズル噴射口を通して前記チャンバから押し出される、請求項３に記載のシステム。
【請求項５】
液体状の湿し水が前記ノズルを通過して前記チャンバから流出するのを防ぐように構成されたフィルタを含む、請求項４に記載のシステム。
【請求項６】
前記湿し水層が１マイクロメートル以下の厚さを有する、請求項１に記載のシステム。
【請求項７】
前記湿し水が、シリコーン液、ポリフッ化エーテル、およびポリフッ化シリコーン液からなる群から選択される前記湿し水をさらに含む、請求項１に記載のシステム。
【請求項８】
前記湿し水が、Ｄ４、Ｄ５、およびＯＳ２０からなる群から選択されるシリコーン液を含む、請求項１に記載のシステム。
【請求項９】
前記ノズルチャンバが前記噴霧ノズルによってのみ前記湿し水の供給装置すべてに流体接続している、請求項１に記載のシステム。
【請求項１０】
インク印刷に有用なインクベースのデジタル印刷システムであって、
画像形成面を有する画像形成部材と、
気化した湿し水を直接前記画像形成面上に向けて送り、該画像形成面上に湿し水層を形成するように構成された湿し水塗布システムであって、前記気化した湿し水が、霧状の湿し水を高温のガスに混合させることにより形成される、湿し水塗布システムと、
ノズルチャンバであって、前記霧状の湿し水を第１の端で受け取り、前記気化した湿し水を第２の端で噴射するように構成されたノズルチャンバであって、前記第１の端で受け取った前記霧状の湿し水と混合するための前記高温のガスを受け取るように構成されたノズルチャンバと、
を含み、
前記高温のガスが窒素であり、
前記高温のガスが前記ノズルチャンバ外部の位置で加熱される、
デジタル印刷システム。
【請求項１１】
湿し水塗布システムであって、
第１の端と第２の端と有するチャンバと、ノズル噴射口とを有する供給ノズルと、
前記チャンバに接続され、空気または窒素ガスを含む高温のガスを前記チャンバに供給する熱供給源であって、前記チャンバの外部に位置する熱供給源と、
前記熱供源から隔てて配置され、霧状の湿し水を前記第１の端において前記チャンバに供給する、湿し水の供給源と、
を含み、
これにより、前記霧状の液体と前記高温のガスとが前記チャンバにおいて混合して湿し水の蒸気を形成し、
前記高温のガスが前記第１の端から離れた位置において前記チャンバに受け取られ、
前記高温のガスにより、前記蒸気が前記ノズル噴射口から前記チャンバの外へ押し出される、
湿し水塗布システム。
【請求項１２】
前記ノズル噴射口と前記熱供給源および湿し水供給源との間に配置され、前記ノズル噴射口から液体状態の湿し水が漏れることを防ぐように構成されたフィルタを有する、請求項１１に記載のシステム。
【請求項１３】
前記湿し水が、シリコーン液、ポリフッ化エーテル、およびポリフッ化シリコーン液からなる群から選択さる前記湿し水をさらに含む、請求項１１に記載のシステム。
【請求項１４】
インクベースのデジタル印刷を行う方法であって、
湿し水供給ノズルチャンバの第１の端に霧状の湿し水を供給するステップと、
高温のガスを前記第１の端から離れた位置で前記ノズルチャンバに供給するステップと、
前記霧状の湿し水を前記ノズルチャンバにおいて前記高温のガスに混合させて、前記湿し水を気化させるステップと、
前記気化した湿し水を前記ノズルチャンバの第２の端において噴霧するステップと、
前記ノズルチャンバから、画像形成部材の画像再形成可能面上に向けて直接前記湿し水の蒸気を送るステップと、を含み、
前記蒸気を送るステップにより、前記蒸気が前記画像形成部材の画像再形成可能面で液化して、前記画像形成部材の前記画像再形成可能面上に湿し水の層を形成し、
前記高温のガスが前記ノズルチャンバ外部の位置で加熱される、
方法。
【請求項１５】
送風機を用いて、前記高温のガスを前記チャンバに供給するステップを含む、請求項１４に記載の方法。
【請求項１６】
前記高温のガスが、空気および窒素からなる群から選択される、請求項１４に記載の方法。
【請求項１７】
前記湿し水の蒸気を送るステップが、
前記チャンバに供給された前記高温のガスを用いて、気化した湿し水を前記画像形成部材の表面上に押し出すステップをさらに含む、請求項１４に記載の方法。
【請求項１８】
前記湿し水の層が、１マイクロメートル以下の厚さを有する、請求項１４に記載の方法。
【請求項１９】
前記湿し水が、シリコーン液、ポリフッ化エーテル、およびポリフッ化シリコーン液からなる群から選択される前記湿し水をさらに含む、請求項１４に記載の方法。
【請求項２０】
前記湿し水が、Ｄ４、Ｄ５、およびＯＳ２０からなる群から選択されるシリコーン液を含む、請求項１４に記載の方法。
【手続補正書】
【提出日】平成28年11月22日(2016.11.22)
【手続補正１】
【補正対象書類名】明細書
【補正対象項目名】００３３
【補正方法】変更
【補正の内容】
【００３３】
また、側方案内面１４Ａと端案内面１５Ａとの間には、下方に向かうにつれてコネクタ幅方向内方及びコネクタ長さ方向内方へ傾斜する隅案内面１０Ａが形成されている。図１に見られるように、該隅案内面１０Ａの上縁及び下縁は、側方案内面１４Ａ及び端案内面１５Ａの上縁及び下縁と同じ高さに位置している。該隅案内面１０Ａは、コネクタ嵌合過程にてプラグコネクタ２をコネクタ幅方向及びコネクタ長さ方向で受入部１６内へ向けて案内する。
【手続補正２】
【補正対象書類名】明細書
【補正対象項目名】００６１
【補正方法】変更
【補正の内容】
【００６１】
また、本実施形態では、底壁１１は、延出部４３に対応する領域にて、複数（本実施形態では二つ）の底孔部１１Ａ以外の範囲で閉塞されており、該延出部４３が該底壁１１で保持されている。したがって、一体モールド成形時での大きい押さえ面積そして端子の安定性を確保するために延出部のほぼ全域にわたる領域で底壁に底孔部が形成されるような場合と比べると、延出部４３に対応する領域でのハウジング１０の強度を大きくすることができる。
【手続補正書】
【提出日】平成28年12月7日(2016.12.7)
【手続補正１】
【補正対象書類名】特許請求の範囲
【補正対象項目名】全文
【補正方法】変更
【補正の内容】
【特許請求の範囲】
【請求項１】
第１の絶縁層と、
前記第１の絶縁層上方の半導体層と、
前記半導体層上方のゲート絶縁層と、
前記ゲート絶縁層上方のゲート電極と、
前記ゲート電極上方の第２の絶縁層と、
前記第２の絶縁層上方の導電層と、を有し、
前記半導体層は、第１の開口部を有し、
前記ゲート絶縁層は、第２の開口部を有し、
前記第２の絶縁層は、第３の開口部を有し、
前記導電層は、第１の領域と、第２の領域と、第３の領域と、第４の領域と、を有し、
前記第１の領域は、前記第１の開口部に設けられ、
前記第１の領域は、前記半導体層の側面と接する領域を有し、
前記第２の領域は、前記第２の開口部に設けられ、
前記第２の領域は、前記ゲート絶縁層の側面と接する領域を有し、
前記第３の領域は、前記第３の開口部に設けられ、
前記第３の領域は、前記第２の絶縁層の側面と接する領域を有し、
前記第４の領域は、前記第１の絶縁層と重なっておらず、
前記第４の領域は、前記第１の絶縁層の側面と接する領域を有することを特徴とする半導体装置。
【請求項２】
基板上方の第１の絶縁膜と、
第１の絶縁膜上方の半導体膜と、
前記半導体膜上方の第２の絶縁膜と、
前記第２の絶縁膜上方のゲート電極と、
前記ゲート電極上方の第３の絶縁膜と、
前記第３の絶縁膜上方の導電膜と、
を有し、
前記第１の絶縁膜は、シリコン及び酸素を含み、
前記半導体膜は、シリサイド領域を含み、
前記半導体膜は、第１の開口部を有し、
前記第３の絶縁膜は、第２の開口部を有し、
前記ゲート電極は、前記半導体膜と重なる第１の領域を有し、
前記導電膜は、前記第１の開口部及び前記第２の開口部と重なる第２の領域を有し、
前記導電膜の少なくとも前記第２の領域の上面全ては、前記半導体膜の上面よりも高く、
前記導電膜は、前記半導体膜の側面及び上面と接していることを特徴とする半導体装置。
【請求項３】
基板上方の第１の絶縁膜と、
第１の絶縁膜上方の半導体膜と、
前記半導体膜上方の第２の絶縁膜と、
前記第２の絶縁膜上方のゲート電極と、
前記ゲート電極上方の第３の絶縁膜と、
前記第３の絶縁膜上方の導電膜と、
を有し、
前記第１の絶縁膜は、シリコン及び酸素を含み、
前記半導体膜は、シリサイド領域を含み、
前記第１の絶縁膜は、エッチングされた部分を有し、
前記半導体膜は、第１の開口部を有し、
前記第３の絶縁膜は、第２の開口部を有し、
前記ゲート電極は、前記半導体膜と重なる第１の領域を有し、
前記導電膜は、前記エッチングされた部分、前記第１の開口部及び前記第２の開口部と重なる第２の領域を有し、
前記導電膜の少なくとも前記第２の領域の上面全ては、前記半導体膜の上面よりも高く、
前記導電膜は、前記半導体膜の側面及び上面と接していることを特徴とする半導体装置。
【請求項４】
請求項２又は３において、
前記導電膜は、前記第１の開口部及び前記第２の開口部を介して前記第１の絶縁膜と接していることを特徴とする半導体装置。
【請求項５】
基板上方の第１の絶縁膜と、
第１の絶縁膜上方の半導体膜と、
前記半導体膜上方の第２の絶縁膜と、
前記第２の絶縁膜上方のゲート電極と、
前記ゲート電極上方の第３の絶縁膜と、
前記第３の絶縁膜上方の第１の導電膜と、
前記第１の導電膜上方の第４の絶縁膜と、
前記第４の絶縁膜上方の第２の導電膜と、
前記第２の導電膜上方の液晶と、
を有し、
前記第１の絶縁膜は、シリコン及び酸素を含み、
前記半導体膜は、シリサイド領域を含み、
前記第１の絶縁膜は、エッチングされた部分を有し、
前記半導体膜は、第１の開口部を有し、
前記第３の絶縁膜は、第２の開口部を有し、
前記ゲート電極は、前記半導体膜と重なる第１の領域を有し、
前記第１の導電膜は、前記エッチングされた部分、前記第１の開口部及び前記第２の開口部と重なる第２の領域を有し、
前記第１の導電膜の少なくとも前記第２の領域の上面全ては、前記半導体膜の上面よりも高く、
前記第１の導電膜は、前記半導体膜の側面及び上面と接しており、
前記第２の導電膜は、前記第１の導電膜を介して前記半導体膜と電気的に接続されていることを特徴とする半導体装置。
【請求項６】
請求項５において、
前記第１の導電膜は、前記第１の開口部及び前記第２の開口部を介して前記第１の絶縁膜と接していることを特徴とする半導体装置。
【請求項７】
請求項２乃至６のいずれか一項において、
前記半導体膜は、１０ｎｍ以上５０ｎｍ以下の厚さを有することを特徴とする半導体装置。
【手続補正書】
【提出日】平成29年3月23日(2017.3.23)
【手続補正１】
【補正対象書類名】特許請求の範囲
【補正対象項目名】全文
【補正方法】変更
【補正の内容】
【特許請求の範囲】
【請求項１】
第１のトランジスタと、第２のトランジスタと、を有し、
前記第１のトランジスタのゲートは、前記第２のトランジスタのソース又はドレインの一方と電気的に接続される半導体装置であって、
前記第２のトランジスタは、
ゲート電極と、
前記ゲート電極上方のゲート絶縁層と、
前記ゲート絶縁層上方の酸化物半導体層と、
前記酸化物半導体層上方のソース電極と、
前記酸化物半導体層上方のドレイン電極と、を有し、
前記酸化物半導体層上方、前記ソース電極上方及び前記ドレイン電極上方には、絶縁層が設けられ、
前記酸化物半導体層は、Ｉｎと、Ｇａと、Ｚｎと、を有し、
前記酸化物半導体層は、第１の領域と、前記第１の領域上方の第２の領域と、を有し、
前記第２の領域は、結晶部を有することを特徴とする半導体装置。
【請求項２】
第１のトランジスタと、第２のトランジスタと、を有し、
前記第１のトランジスタのゲートは、前記第２のトランジスタのソース又はドレインの一方と電気的に接続される半導体装置であって、
前記第２のトランジスタは、
ゲート電極と、
前記ゲート電極上方のゲート絶縁層と、
前記ゲート絶縁層上方の酸化物半導体層と、
前記酸化物半導体層上方のソース電極と、
前記酸化物半導体層上方のドレイン電極と、を有し、
前記酸化物半導体層上方、前記ソース電極上方及び前記ドレイン電極上方には、絶縁層が設けられ、
前記酸化物半導体層は、Ｉｎと、Ｇａと、Ｚｎと、を有し、
前記酸化物半導体層は、第１の領域と、前記第１の領域上方の第２の領域と、を有し、
前記第２の領域は、ｃ軸が配向した結晶を有することを特徴とする半導体装置。
【請求項３】
第１のトランジスタと、第２のトランジスタと、を有し、
前記第１のトランジスタのゲートは、前記第２のトランジスタのソース又はドレインの一方と電気的に接続される半導体装置であって、
前記第２のトランジスタは、
ゲート電極と、
前記ゲート電極上方のゲート絶縁層と、
前記ゲート絶縁層上方の酸化物半導体層と、
前記酸化物半導体層上方のソース電極と、
前記酸化物半導体層上方のドレイン電極と、を有し、
前記酸化物半導体層上方、前記ソース電極上方及び前記ドレイン電極上方には、絶縁層が設けられ、
前記酸化物半導体層は、Ｉｎと、Ｇａと、Ｚｎと、を有し、
前記酸化物半導体層は、第１の領域と、前記第１の領域上方の第２の領域と、を有し、
前記第２の領域は、前記第１の領域と結晶状態が異なり、
前記第２の領域は、結晶部を有することを特徴とする半導体装置。
【請求項４】
第１のトランジスタと、第２のトランジスタと、を有し、
前記第１のトランジスタのゲートは、前記第２のトランジスタのソース又はドレインの一方と電気的に接続される半導体装置であって、
前記第２のトランジスタは、
ゲート電極と、
前記ゲート電極上方のゲート絶縁層と、
前記ゲート絶縁層上方の酸化物半導体層と、
前記酸化物半導体層上方のソース電極と、
前記酸化物半導体層上方のドレイン電極と、を有し、
前記酸化物半導体層上方、前記ソース電極上方及び前記ドレイン電極上方には、絶縁層が設けられ、
前記酸化物半導体層は、Ｉｎと、Ｇａと、Ｚｎと、を有し、
前記酸化物半導体層は、第１の領域と、前記第１の領域上方の第２の領域と、を有し、
前記第２の領域は、前記第１の領域と結晶状態が異なり、
前記第２の領域は、ｃ軸が配向した結晶を有することを特徴とする半導体装置。
【手続補正書】
【提出日】平成29年1月26日(2017.1.26)
【手続補正１】
【補正対象書類名】明細書
【補正対象項目名】００５７
【補正方法】変更
【補正の内容】
【００５７】
表３に示したように、実施例２は実施例１に比べ、耐圧がやや低く、実施例３は実施例２に比べ、やはり耐圧が低かった。さらに、（００２）面半値幅は、実施例２，３共に実施例１に比べてやや高い傾向を示した。
【手続補正書】
【提出日】平成29年2月1日(2017.2.1)
【手続補正１】
【補正対象書類名】明細書
【補正対象項目名】００３８
【補正方法】変更
【補正の内容】
【００３８】
図２は、２つの光照射モジュール１００Ａ、１００Ｂを連結した構成を示す図である。図２（ａ）は、連結された光照射モジュール１００Ａ、１００Ｂの平面図であり、図２（ｂ）は、連結された光照射モジュール１００Ａ、１００Ｂの等価回路図である。なお、図２においては、説明の便宜上、左側の光照射モジュール１００に対し「１００Ａ」の符号を付し、右側の光照射モジュール１００に対し「１００Ｂ」の符号を付しているが、光照射モジュール１００Ａ及び光照射モジュール１００Ｂの構成は、上述した本実施形態の光照射モジュール１００と全く同じである。
【手続補正２】
【補正対象書類名】明細書
【補正対象項目名】００３９
【補正方法】変更
【補正の内容】
【００３９】
図２に示すように、光照射モジュール１００Ａと光照射モジュール１００Ｂは、Ｘ軸方向に連続するように密着して配置され、不図示の支持部材で連結して支持されている。そして、光照射モジュール１００Ａと光照射モジュール１００Ｂが連結されたとき、光照射モジュール１００Ａの配線パターン１３０ａと光照射モジュール１００Ｂの接合部１１２ａが近接して配置され、継ぎ目部分に接合部材１６０を配置することによって、両者が電気的に接続されるようになっている。接合部材１６０は、導電性を有する金属（例えば、銅、アルミニュウム等）からなる細長の部材であり、一端部が光照射モジュール１００Ａの配線パターン１３０ａとハンダ等によって接続され、他端部が光照射モジュール１００Ｂのメタルベース１１２とハンダ等によって接続されている。従って、図２（ｂ）に示すように、光照射モジュール１００Ａと光照射モジュール１００Ｂは、接合部材１６０を介して、電気的には直列に接続される。このように、複数の光照射モジュール１００を直列に接続すると、高いＬＥＤ駆動電圧が必要となるものの、消費電流が上昇することはない。
【手続補正３】
【補正対象書類名】明細書
【補正対象項目名】００４５
【補正方法】変更
【補正の内容】
【００４５】
図３に示すように、本実施形態の光照射モジュール２００は、基板２１０と、基板２１０の表面に載置された複数（図３においては９個）のＬＥＤチップ２２０と、基板２１０の表面にＬＥＤチップ２２０を取り囲むように配置された配線基板２３０と、基板２１０の裏面に配置されたヒートシンク２５０と、を備えている。
【手続補正４】
【補正対象書類名】明細書
【補正対象項目名】００５１
【補正方法】変更
【補正の内容】
【００５１】
本実施形態の９個のＬＥＤチップ２２０は、アノード端子がメタルベース２１２に接合され、カソード端子が配線パターン２３０ａに接続されている。従って、図３（ｃ）に示すように、９個のＬＥＤチップ２２０は並列接続されることとなる。従って、不図示のＬＥＤ駆動回路からメタルベース２１２及び配線パターン２３０ａに電力が供給されると、９個のＬＥＤチップ２２０が発光し、光照射モジュール２００からはＸ軸方向及びＹ軸方向に沿って拡がる紫外光が出射される。
【手続補正５】
【補正対象書類名】明細書
【補正対象項目名】００５２
【補正方法】変更
【補正の内容】
【００５２】
また、本実施形態の光照射モジュール２００においては、配線基板２３０の一部に切欠部２３０ｂが形成されており、メタルベース２１２の一部がＬＥＤチップ２２０の出射面と同じ側に露出し、接合部２１２ａ（露出部）が形成されている。このため、本実施形態の光照射モジュール２００においても、本実施形態の光照射モジュール１００と同様、複数の光照射モジュール２００をＸ軸方向に連結することができる。
【手続補正６】
【補正対象書類名】明細書
【補正対象項目名】００５３
【補正方法】変更
【補正の内容】
【００５３】
図４は、２つの光照射モジュール２００Ａ、２００Ｂを連結した構成を示す図である。図４（ａ）は、連結された光照射モジュール２００Ａ、２００Ｂの平面図であり、図４（ｂ）は、連結された光照射モジュール２００Ａ、２００Ｂの等価回路図である。なお、図４においては、説明の便宜上、左側の光照射モジュール２００に対し「２００Ａ」の符号を付し、右側の光照射モジュール２００に対し「２００Ｂ」の符号を付しているが、光照射モジュール２００Ａ及び光照射モジュール２００Ｂの構成は、上述した本実施形態の光照射モジュール２００と全く同じである。
【手続補正７】
【補正対象書類名】明細書
【補正対象項目名】００５５
【補正方法】変更
【補正の内容】
【００５５】
このように、本実施形態の光照射モジュール２００も、第１の実施形態の光照射モジュール１００と同様、Ｘ軸方向に沿って容易に連結することが可能になっており、これによって、所望のライン長の紫外光を容易に得ることができるようになっている。なお、本実施形態においては、光照射モジュール２００の一辺に接合部材２６０を設ける構成としたが、Ｘ軸方向及びＹ軸方向に沿う四辺にそれぞれ切欠部２３０ｂを設けることにより、両方向に光照射モジュール２００を連結することが可能となる。
【手続補正８】
【補正対象書類名】図面
【補正対象項目名】図５
【補正方法】変更
【補正の内容】
【図５】
2016195177.tif 000001
【手続補正書】
【提出日】平成29年1月20日(2017.1.20)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
回路基板を収納する第１部材及び第２部材からなる基板ケースと、
前記第１部材と前記第２部材とを封止状態とする封印シールと、
前記第１部材に設けられた第１封印シール貼付部と、
前記第２部材に設けられた第２封印シール貼付部と、
を備え、
前記封印シールは、
該封印シールの粘着力を低下させるために所定の溶剤が用いられたときに該溶剤が使用された痕跡を残す溶剤使用特定部と、
該封印シールの粘着力を低下させるために所定の溶剤が用いられたときに発色する溶剤発色部と、
該封印シールの識別情報が目視にて読み取り可能に表示された第１識別情報表示部及び該封印シールの識別情報が符号化されることにより所定の読取装置にて読み取り可能な第２識別情報表示部と、
を有し、
前記第２識別情報表示部は、前記所定の溶剤が用いられたときに表示内容が消えないものであり、
前記溶剤発色部は、該溶剤発色部の経時変化により発色する色とは異なる色に発色し、
前記溶剤使用特定部は、第１溶剤が用いられたときに該第１溶剤が使用された痕跡を残す第１溶剤使用特定部と、前記第１溶剤とは種類が異なる第２溶剤が用いられたときに該第２溶剤が使用された痕跡を残す第２溶剤使用特定部と、を含み、
前記封印シールは、
前記第１封印シール貼付部と前記第２封印シール貼付部とに跨るように貼付されたときに前記第１封印シール貼付部と前記第２封印シール貼付部との境界部に位置しない部分に前記溶剤使用特定部が配置され、
前記第１封印シール貼付部と前記第２封印シール貼付部とに跨るように貼付されたときに前記第１封印シール貼付部または前記第２封印シール貼付部のいずれかに対応する部分に前記溶剤発色部と前記第２識別情報表示部とが配置され、
前記第１封印シール貼付部と前記第２封印シール貼付部とに跨るように貼付されたときに前記第１封印シール貼付部または前記第２封印シール貼付部のいずれかに対応する部分に前記第２溶剤使用特定部と前記第２識別情報表示部とが配置される
ことを特徴とする遊技機。
【手続補正２】
【補正対象書類名】明細書
【補正対象項目名】０００１
【補正方法】変更
【補正の内容】
【０００１】
本発明は、遊技を行うことが可能な遊技機に関する。
【手続補正３】
【補正対象書類名】明細書
【補正対象項目名】０００５
【補正方法】変更
【補正の内容】
【０００５】
そこで、この種の回路基板を、ベース体（第１部材）とカバー体（第２部材）とからなる基板ケースに収納するとともに、封印シールを貼付することにより開封された場合にはその痕跡が残るように封止状態とすることで、回路基板に不正行為が行われた可能性があることを容易に発見することができるようにしたものがある。
【手続補正４】
【補正対象書類名】明細書
【補正対象項目名】００１０
【補正方法】変更
【補正の内容】
【００１０】
前記課題を解決するために、本発明の請求項１に記載の遊技機は、
遊技を行うことが可能な遊技機であって、
回路基板を収納する第１部材及び第２部材からなる基板ケースと、
前記第１部材と前記第２部材とを封止状態とする封印シールと、
前記第１部材に設けられた第１封印シール貼付部と、
前記第２部材に設けられた第２封印シール貼付部と、
を備え、
前記封印シールは、
該封印シールの粘着力を低下させるために所定の溶剤が用いられたときに該溶剤が使用された痕跡を残す溶剤使用特定部と、
該封印シールの粘着力を低下させるために所定の溶剤が用いられたときに発色する溶剤発色部と、
該封印シールの識別情報が目視にて読み取り可能に表示された第１識別情報表示部及び該封印シールの識別情報が符号化されることにより所定の読取装置にて読み取り可能な第２識別情報表示部と、
を有し、
前記第２識別情報表示部は、前記所定の溶剤が用いられたときに表示内容が消えないものであり、
前記溶剤発色部は、該溶剤発色部の経時変化により発色する色とは異なる色に発色し、
前記溶剤使用特定部は、第１溶剤が用いられたときに該第１溶剤が使用された痕跡を残す第１溶剤使用特定部と、前記第１溶剤とは種類が異なる第２溶剤が用いられたときに該第２溶剤が使用された痕跡を残す第２溶剤使用特定部と、を含み、
前記封印シールは、
前記第１封印シール貼付部と前記第２封印シール貼付部とに跨るように貼付されたときに前記第１封印シール貼付部と前記第２封印シール貼付部との境界部に位置しない部分に前記溶剤使用特定部が配置され、
前記第１封印シール貼付部と前記第２封印シール貼付部とに跨るように貼付されたときに前記第１封印シール貼付部または前記第２封印シール貼付部のいずれかに対応する部分に前記溶剤発色部と前記第２識別情報表示部とが配置され、
前記第１封印シール貼付部と前記第２封印シール貼付部とに跨るように貼付されたときに前記第１封印シール貼付部または前記第２封印シール貼付部のいずれかに対応する部分に前記第２溶剤使用特定部と前記第２識別情報表示部とが配置される
ことを特徴としている。
【手続補正書】
【提出日】平成29年1月17日(2017.1.17)
【手続補正１】
【補正対象書類名】特許請求の範囲
【補正対象項目名】全文
【補正方法】変更
【補正の内容】
【特許請求の範囲】
【請求項１】
変動表示を行い、遊技者にとって有利な有利状態に制御可能な遊技機であって、
変動表示の態様を選択する変動態様選択手段と、
前記変動態様選択手段により選択された変動表示の態様に従って変動表示を行い、表示結果を導出させる変動表示演出を含む演出の実行を制御する演出制御手段とを備え、
前記演出制御手段は、変動表示の態様として再変動態様が選択されたときに、変動表示が開始されてから表示結果が導出されるまでに一旦仮停止させた後に再度変動表示させる再変動表示を所定回実行する再変動表示実行手段を含み、
複数段階のステップよりなるステップアップ演出を実行するステップアップ演出実行手段とを備え、
前記再変動態様には、再変動表示の回数が互いに異なる複数種類の再変動表示態様が含まれるとともに、最後に仮停止させた後に実行可能なリーチ変動態様が複数種類含まれており、
前記変動態様選択手段により選択された再変動態様において再変動表示が第１回数行われるときよりも、第１回数よりも多い第２回数行われるときの方が前記有利状態に制御される割合が高く、
前記変動態様選択手段は、再変動表示の回数に応じて、いずれのリーチ変動態様が実行されるかの割合が異なるように前記再変動態様を選択し、
前記ステップアップ演出実行手段は、前記変動態様選択手段により選択された再変動態様において実行される再変動表示の回数に応じて、各再変動表示において第１段階のステップから複数段階のうちいずれの段階のステップまで発展させるかの割合が異なるようにステップアップ演出を実行可能である
ことを特徴とする遊技機。
【手続補正２】
【補正対象書類名】明細書
【補正対象項目名】００１０
【補正方法】変更
【補正の内容】
【００１０】
上記目的を達成するため、本発明の第１の観点にかかる遊技機は、
変動表示を行い、遊技者にとって有利な有利状態（大当たり遊技状態）に制御可能な遊技機（パチンコ遊技機１）であって、
変動表示の態様（変動パターン）を選択する変動態様選択手段（ＣＰＵ５６（図４））と、
前記変動態様選択手段により選択された変動表示の態様に従って変動表示を行い、表示結果を導出させる変動表示演出を含む演出の実行を制御する演出制御手段（表示制御基板８０の表示制御用ＣＰＵ）とを備え、
前記演出制御手段は、変動表示の態様として再変動態様（疑似連１回／２回／３回／４回）が選択されたときに、変動表示が開始されてから表示結果が導出されるまでに一旦仮停止させた後に再度変動表示させる再変動表示を所定回実行する再変動表示実行手段（表示制御基板８０の表示制御用ＣＰＵ）を含み、
複数段階のステップよりなるステップアップ演出（第１段階から第３段階までのうちの何れかの段階まで演出が段階的に変化するステップアップ演出）を実行するステップアップ演出実行手段とを備え、
前記再変動態様には、再変動表示の回数が互いに異なる複数種類の再変動表示態様（疑似連１回／２回／３回／４回）が含まれるとともに、最後に仮停止させた後に実行可能なリーチ変動態様が複数種類（ノーマル、スーパーＡ、スーパーＢ）含まれており、
前記変動態様選択手段により選択された再変動態様において再変動表示が第１回数行われるとき（疑似連２回）よりも、第１回数よりも多い第２回数行われるとき（疑似連３回）の方が前記有利状態に制御される割合が高く、
前記変動態様選択手段は、再変動表示の回数に応じて、いずれのリーチ変動態様が実行されるかの割合が異なるように前記再変動態様を選択し（図４）、
前記ステップアップ演出実行手段は、前記変動態様選択手段により選択された再変動態様において実行される再変動表示の回数（疑似連の回数）に応じて、各再変動表示において第１段階のステップから複数段階のうちいずれの段階のステップまで発展させるかの割合（ステップアップ演出１、ステップアップ演出２、ステップアップ演出３のそれぞれを選択する比率）が異なるようにステップアップ演出を実行可能である
ことを特徴とする。
【手続補正書】
【提出日】平成28年12月26日(2016.12.26)
【手続補正１】
【補正対象書類名】特許請求の範囲
【補正対象項目名】全文
【補正方法】変更
【補正の内容】
【特許請求の範囲】
【請求項１】
遊技演出を表示する演出表示手段を備えた遊技機において、
第１位置と第１位置よりも前記演出表示手段の中心側に位置する第２位置とに可動に設けられた可動役物と、
前記可動役物に回転可能に設けられ、前記可動役物に対して所定の静止位置と展開位置とに切り換わることが可能な回転役物とを備え、
前記可動役物が前記第１位置にあり且つ前記回転役物が前記静止位置で回転しない第１状態から、前記可動役物が前記第２位置にあり且つ前記回転役物が前記展開位置で回転する第２状態へ変化可能に構成されたことを特徴とする遊技機。
【手続補正２】
【補正対象書類名】明細書
【補正対象項目名】０００１
【補正方法】変更
【補正の内容】
【０００１】
本発明は遊技機に関し、特に、役物に関する技術である。
【手続補正３】
【補正対象書類名】明細書
【補正対象項目名】０００５
【補正方法】変更
【補正の内容】
【０００５】
可動役物装置において、画面の前側でアーム部材に設けた回転役物を回転させる演出を行うものでは、回転役物を常時展開状態にしたまま可動役物を退避位置に切換えると、回転役物を遊技者に目立たないようにする上で不利であるし、展開状態から収納状態に切換え不能の回転役物ではそのサイズが制約され、演出効果を高める上で不利である。
【手続補正４】
【補正対象書類名】明細書
【補正対象項目名】０００７
【補正方法】変更
【補正の内容】
【０００７】
本願発明は以下の構成を有するものである。尚、参照符号は、本願発明の理解促進の為に図面に図示した構成要素との対応関係の一例を示したものであり、本願発明の技術的範囲を限定するものではない。
本発明は、遊技演出を表示する演出表示手段(17)を備えた遊技機(1) において、第１位置と第１位置よりも前記演出表示手段(17)の中心側に位置する第２位置とに可動に設けられた可動役物(130) と、前記可動役物(130) に回転可能に設けられ、前記可動役物(130) に対して所定の静止位置と展開位置とに切り換わることが可能な回転役物(150) とを備え、前記可動役物(130) が前記第１位置にあり且つ前記回転役物(150) が前記静止位置で回転しない第１状態から、前記可動役物(130) が前記第２位置にあり且つ前記回転役物(150) が前記展開位置で回転する第２状態へ変化可能に構成されたことを特徴とする。
【手続補正５】
【補正対象書類名】明細書
【補正対象項目名】０００８
【補正方法】変更
【補正の内容】
【０００８】
本発明によれば、演出効果を高めることができる。
【手続補正書】
【提出日】平成28年10月24日(2016.10.24)
【手続補正１】
【補正対象書類名】特許請求の範囲
【補正対象項目名】全文
【補正方法】変更
【補正の内容】
【特許請求の範囲】
【請求項１】
カテーテルシステムであって、
第１のカテーテル本体、第１の整列要素、および電極を備える第１のカテーテルと、
第２のカテーテル本体、第２の整列要素、および前記電極の少なくとも一部分を受容するように構成されたポケットを備える第２のカテーテルと
を備え、
前記第１の整列要素および前記第２の整列要素は、前記第１のカテーテルと前記第２のカテーテルとを互いに対して整列させるように構成されており、前記電極は、エネルギーが供給されて瘻を形成するように構成されている、システム。
【請求項２】
前記ポケットは、絶縁材料を備える、請求項１に記載のシステム。
【請求項３】
前記第１の整列要素は、第１の磁気構成要素を備え、前記第２の整列要素は、前記第１の磁気構成要素と相互作用するように構成された第２の磁気構成要素を備える、請求項１に記載のシステム。
【請求項４】
前記第１の磁気構成要素は、第１の組み合わせ面を備え、前記第２の磁気構成要素は、第２の組み合わせ面を備え、前記第１の組み合わせ面は、前記第２の組み合わせ面に誘引されるように構成されている、請求項３に記載のシステム。
【請求項５】
前記第１の組み合わせ面および前記第２の組み合わせ面の各々は、平坦な面を備える、請求項４に記載のシステム。
【請求項６】
前記第１の磁気構成要素および前記第２の磁気構成要素の各々は、少なくとも１つの箱形磁石を備える、請求項３に記載のシステム。
【請求項７】
前記第１の磁気構成要素および前記第２の磁気構成要素の各々は、１つ以上の配列にグループ化された複数の磁石を備える、請求項６に記載のシステム。
【請求項８】
前記第１のカテーテル本体は、第１の平坦な面を備える第１の機械的整列特徴をさらに備え、前記第２のカテーテル本体は、第２の平坦な面を備える第２の機械的整列特徴をさらに備える、請求項３に記載のシステム。
【請求項９】
前記電極は、後退構成から突出構成に向けて偏向させられ、前記突出構成において、前記電極は、前記カテーテル本体から突出する、請求項１に記載のシステム。
【手続補正書】
【提出日】平成29年7月3日(2017.7.3)
【手続補正１】
【補正対象書類名】特許請求の範囲
【補正対象項目名】全文
【補正方法】変更
【補正の内容】
【特許請求の範囲】
【請求項１】
遊技領域の第１領域に向けて発射された遊技球が入賞可能な第１始動口と、
前記遊技領域の第２領域に向けて発射された遊技球が入賞可能な第２始動口と、
前記第１始動口に設けられた第１の所定領域または前記第２始動口に設けられた第２の所定領域を遊技球が通過することにより、遊技者に有利な特別遊技を行うか否かを判定する特別遊技判定手段と、
所定条件の成立により、前記第２始動口に遊技球が入賞容易となるように制御する第２始動口制御手段と、
前記遊技領域の前記第２領域に向けて発射された遊技球が通過可能な第３の所定領域と、
前記第１の所定領域に対する遊技球の通過状態に応じたレベルの信号を出力する第１スイッチ手段と、
前記第２の所定領域に対する遊技球の通過状態に応じたレベルの信号を出力する第２スイッチ手段と、
前記第３の所定領域に対する遊技球の通過状態に応じたレベルの信号を出力する第３スイッチ手段と、
前記第１スイッチ手段により出力される信号に基づいて、予め定められた間隔で繰り返し実行される反復処理により、前記第１の所定領域を遊技球が通過したか否かを判定するときと、前記第２スイッチ手段により出力される信号に基づいて、前記反復処理により、前記第２の所定領域を遊技球が通過したか否かを判定するときと、前記第３スイッチ手段により出力される信号に基づいて、前記反復処理により、前記第３の所定領域を遊技球が通過したか否かを判定するときとがある判定手段とを備え、
前記判定手段は、
前記第１スイッチ手段、前記第２スイッチ手段または前記第３スイッチ手段により出力された信号のレベルが所定の閾値レベルよりも第１方向に位置すると判定する第１判定、又は、当該信号のレベルが当該所定の閾値レベルまたは当該所定の閾値レベルよりも前記第１方向と反対の第２方向に位置すると判定する第２判定を行う信号レベル判定手段と、
第ｎ（ｎは自然数）回目の反復処理における１回の前記第１判定が行われてから第ｎ＋１回目の反復処理において前記第２判定が行われると、当該第ｎ＋１回目の反復処理において更に判定が行われ、当該判定が前記第２判定である場合に、前記第１の所定領域、前記第２の所定領域または前記第３の所定領域を遊技球が通過したと判定する通過判定手段とを有する、遊技機。
【請求項２】
前記通過判定手段により、前記第３の所定領域を通過したと判定された場合に、前記第１領域に向けて遊技球を発射することを促すための報知演出を実行することが可能な演出実行手段を備える、請求項１に記載の遊技機。
【請求項３】
前記第２始動口制御手段により前記第２始動口に遊技球が入賞容易となるように制御され易い特定遊技状態と、前記第２始動口制御手段により前記第２始動口に遊技球が入賞容易となるように制御され難い非特定遊技状態とのいずれかで遊技を制御する遊技状態制御手段を更に備え、
前記演出実行手段は、
前記遊技状態制御手段により前記非特定遊技状態で遊技が制御されているときにおいて、前記通過判定手段により、前記第３の所定領域を通過したと判定された場合に、前記報知演出を実行可能である、請求項２に記載の遊技機。
【手続補正２】
【補正対象書類名】明細書
【補正対象項目名】０００７
【補正方法】変更
【補正の内容】
【０００７】
本発明の一局面に係る遊技機（１）は、
遊技領域の第１領域に向けて発射された遊技球が入賞可能な第１始動口（２１）と、
前記遊技領域の第２領域に向けて発射された遊技球が入賞可能な第２始動口（２２）と、
前記第１始動口に設けられた第１の所定領域または前記第２始動口に設けられた第２の所定領域を遊技球が通過することにより、遊技者に有利な特別遊技を行うか否かを判定する特別遊技判定手段（１００）と、
所定条件の成立により、前記第２始動口に遊技球が入賞容易となるように制御する第２始動口制御手段（１００）と、
前記遊技領域の前記第２領域に向けて発射された遊技球が通過可能な第３の所定領域（２５ｂ）と、
前記第１の所定領域に対する遊技球の通過状態に応じたレベルの信号を出力する第１スイッチ手段（１１１ａ）と、
前記第２の所定領域に対する遊技球の通過状態に応じたレベルの信号を出力する第２スイッチ手段（１１１ｂ）と、
前記第３の所定領域に対する遊技球の通過状態に応じたレベルの信号を出力する第３スイッチ手段（１１３ｂ）と、
前記第１スイッチ手段により出力される信号に基づいて、予め定められた間隔で繰り返し実行される反復処理（タイマ割込み処理）により、前記第１の所定領域を遊技球が通過したか否かを判定するときと、前記第２スイッチ手段により出力される信号に基づいて、前記反復処理により、前記第２の所定領域を遊技球が通過したか否かを判定するときと、前記第３スイッチ手段により出力される信号に基づいて、前記反復処理により、前記第３の所定領域を遊技球が通過したか否かを判定するときとがある判定手段とを備え、
前記判定手段は、
前記第１スイッチ手段、前記第２スイッチ手段または前記第３スイッチ手段により出力された信号のレベルが所定の閾値レベル（通過判定閾値のレベル）よりも第１方向（ＯＦＦ方向）に位置すると判定する第１判定（ＯＦＦ判定）、又は、当該信号のレベルが当該所定の閾値レベルまたは当該所定の閾値レベルよりも前記第１方向と反対の第２方向（ＯＮ方向）に位置すると判定する第２判定（ＯＮ判定）を行う信号レベル判定手段と、
第ｎ（ｎは自然数）回目の反復処理における１回の前記第１判定が行われてから第ｎ＋１回目の反復処理において前記第２判定が行われると、当該第ｎ＋１回目の反復処理において更に判定が行われ、当該判定が前記第２判定である場合に、前記第１の所定領域、前記第２の所定領域または前記第３の所定領域を遊技球が通過したと判定する通過判定手段とを有する（図５ご参照）。
【手続補正書】
【提出日】平成29年1月13日(2017.1.13)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
操作に応じて操作信号を出力する初期化操作手段と、
乱数値となる数値データを生成する乱数回路を内蔵した制御用マイクロコンピュータとを備え、
前記乱数回路は、更新した数値データを保持する数値保持手段を含み、
前記制御用マイクロコンピュータは、
前記乱数回路の設定を行う乱数回路設定手段と、
遊技機への電力供給が停止していても、遊技に関する制御を行う際に発生する情報を所定期間保持可能な記憶手段と、
所定の処理を実行可能な所定処理実行手段と、
前記記憶手段の記憶内容を初期化する初期化処理を実行する初期化手段と、
前記有利状態に制御するかを決定する決定手段と、
前記決定手段の決定結果にもとづいて、可変表示を実行する可変表示実行手段と、
前記有利状態に制御されるかを前記決定手段による決定前に判定する判定手段とを含み、
前記判定手段による判定にもとづいて、所定回の可変表示において、予告演出を実行する予告演出実行手段をさらに備え、
前記初期化手段は、電力供給の開始時に前記初期化操作手段からの前記操作信号が入力されている場合に前記初期化処理を実行するとともに、前記初期化操作手段からの前記操作信号が入力されていない場合であっても前記所定の処理の実行中に所定事象が発生したときに前記初期化処理を実行し、
前記予告演出実行手段は、
第１予告演出を実行するパターンと、当該第１予告演出よりも前記有利状態に制御される割合が高い第２予告演出を実行するパターンと、前記第１予告演出を実行した後に前記第２予告演出を実行するパターンとのいずれかのパターンにより前記予告演出を実行可能であり、
実行される前記第１予告演出の演出態様に応じて、前記第１予告演出を実行した後に前記第２予告演出を実行するパターンにより前記予告演出が実行される割合が異なる
ことを特徴とする遊技機。
【手続補正２】
【補正対象書類名】明細書
【補正対象項目名】０００１
【補正方法】変更
【補正の内容】
【０００１】
本発明は、可変表示を行い、遊技者にとって有利な有利状態に制御可能なパチンコ遊技機等の遊技機に関する。
【手続補正３】
【補正対象書類名】明細書
【補正対象項目名】０００８
【補正方法】変更
【補正の内容】
【０００８】
（手段１）本発明による遊技機は、可変表示を行い、遊技者にとって有利な有利状態に制御可能な遊技機であって、操作に応じて操作信号を出力する初期化操作手段と、乱数値となる数値データを生成する乱数回路（例えば、乱数回路５０８ａ，５０８ｂ）を内蔵した制御用マイクロコンピュータ（例えば、遊技制御用マイクロコンピュータ５６０）とを備え、乱数回路は、更新した数値データを保持する数値保持手段（例えば、図８および図９に示す各ハードラッチ乱数値レジスタ、ソフトラッチ乱数値レジスタ）を含み、制御用マイクロコンピュータは、乱数回路の設定を行う乱数回路設定手段（例えば、遊技制御用マイクロコンピュータ５６０におけるステップＳ１００１，Ｓ１０１１を実行する部分）と、遊技機への電力供給が停止していても、遊技に関する制御を行う際に発生する情報を所定期間保持可能な記憶手段（例えば、ＲＡＭ５５（バックアップＲＡＭ））と、所定の処理（例えば、メイン処理におけるループ処理、タイマ割込処理）を実行可能な所定処理実行手段（例えば、遊技制御用マイクロコンピュータ５６０におけるステップＳ１６〜Ｓ１９，Ｓ２０〜Ｓ３４を実行する部分）と、記憶手段の記憶内容を初期化する初期化処理を実行する初期化手段（例えば、遊技制御用マイクロコンピュータ５６０において、ステップＳ１６〜Ｓ１９，Ｓ２０〜Ｓ３４の実行中にＩＡＴ回路５０６ａからのＩＡＴ信号やウオッチドッグタイマ（ＷＤＴ）５０６ｂからのタイムアウト信号を入力したときには、図５０および図５１に示す電源断処理を実行することなく、リセット後にメイン処理が開始されたときにステップＳ１０〜Ｓ１３を実行する部分）と、有利状態に制御するかを決定する決定手段と、決定手段の決定結果にもとづいて、可変表示を実行する可変表示実行手段と、有利状態に制御されるかを決定手段による決定前に判定する判定手段とを含み、判定手段による判定にもとづいて、所定回の可変表示において、予告演出を実行する予告演出実行手段をさらに備え、初期化手段は、電力供給の開始時に初期化操作手段からの操作信号が入力されている場合に初期化処理を実行するとともに、初期化操作手段からの操作信号が入力されていない場合であっても所定の処理の実行中に所定事象が発生したときに初期化処理を実行し、予告演出実行手段は、第１予告演出を実行するパターンと、当該第１予告演出よりも有利状態に制御される割合が高い第２予告演出を実行するパターンと、第１予告演出を実行した後に第２予告演出を実行するパターンとのいずれかのパターンにより予告演出を実行可能であり、実行される第１予告演出の演出態様に応じて、第１予告演出を実行した後に第２予告演出を実行するパターンにより予告演出が実行される割合が異なることを特徴とする。そのような構成により、第１予告演出が実行された場合でも、遊技者の期待感を維持することができ、遊技の興趣を向上させることができる。
【手続補正書】
【提出日】平成29年1月13日(2017.1.13)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
乱数値となる数値データを生成する乱数回路を内蔵した制御用マイクロコンピュータを備え、
前記乱数回路は、更新した数値データを保持する数値保持手段を含み、
前記制御用マイクロコンピュータは、
前記乱数回路から数値データを抽出する抽出手段と、
前記乱数回路の設定を行う乱数回路設定手段と、
前記有利状態に制御するかを決定する決定手段と、
前記決定手段の決定結果にもとづいて、可変表示を実行する可変表示実行手段と、
前記有利状態に制御されるかを前記決定手段による決定前に判定する判定手段とを含み、
前記判定手段による判定にもとづいて、所定回の可変表示において、予告演出を実行する予告演出実行手段をさらに備え、
前記乱数回路設定手段は、前記抽出手段が前記乱数回路から数値データを抽出するタイミングよりも前に、前記乱数回路の設定を行い、
前記予告演出実行手段は、
第１予告演出を実行するパターンと、当該第１予告演出よりも前記有利状態に制御される割合が高い第２予告演出を実行するパターンと、前記第１予告演出を実行した後に前記第２予告演出を実行するパターンとのいずれかのパターンにより前記予告演出を実行可能であり、
実行される前記第１予告演出の演出態様に応じて、前記第１予告演出を実行した後に前記第２予告演出を実行するパターンにより前記予告演出が実行される割合が異なる
ことを特徴とする遊技機。
【手続補正２】
【補正対象書類名】明細書
【補正対象項目名】０００１
【補正方法】変更
【補正の内容】
【０００１】
本発明は、可変表示を行い、遊技者にとって有利な有利状態に制御可能なパチンコ遊技機等の遊技機に関する。
【手続補正３】
【補正対象書類名】明細書
【補正対象項目名】０００８
【補正方法】変更
【補正の内容】
【０００８】
（手段１）本発明による遊技機は、可変表示を行い、遊技者にとって有利な有利状態に制御可能な遊技機であって、乱数値となる数値データを生成する乱数回路（例えば、乱数回路５０８ａ，５０８ｂ）を内蔵した制御用マイクロコンピュータ（例えば、遊技制御用マイクロコンピュータ５６０）を備え、乱数回路は、更新した数値データを保持する数値保持手段（例えば、図８および図９に示す各ハードラッチ乱数値レジスタ、ソフトラッチ乱数値レジスタ）を含み、制御用マイクロコンピュータは、乱数回路から数値データを抽出する抽出手段と、乱数回路の設定を行う乱数回路設定手段（例えば、遊技制御用マイクロコンピュータ５６０におけるステップＳ１００１，Ｓ１０１１を実行する部分）と、有利状態に制御するかを決定する決定手段と、決定手段の決定結果にもとづいて、可変表示を実行する可変表示実行手段と、有利状態に制御されるかを決定手段による決定前に判定する判定手段とを含み、判定手段による判定にもとづいて、所定回の可変表示において、予告演出を実行する予告演出実行手段をさらに備え、乱数回路設定手段は、抽出手段が乱数回路から数値データを抽出するタイミングよりも前に、乱数回路の設定を行い（例えば、遊技制御用マイクロコンピュータ５６０は、遊技機への電源投入時にステップＳ１００１，Ｓ１０１１を実行して乱数回路５０８ａ，５０８ｂに関する設定をハードウェア的に行い、その後に、ユーザプログラムの実行中にステップＳ２０５Ａ，Ｓ２０５Ｂを実行する）、予告演出実行手段は、第１予告演出を実行するパターンと、当該第１予告演出よりも有利状態に制御される割合が高い第２予告演出を実行するパターンと、第１予告演出を実行した後に第２予告演出を実行するパターンとのいずれかのパターンにより予告演出を実行可能であり、実行される第１予告演出の演出態様に応じて、第１予告演出を実行した後に第２予告演出を実行するパターンにより予告演出が実行される割合が異なることを特徴とする。そのような構成により、第１予告演出が実行された場合でも、遊技者の期待感を維持することができ、遊技の興趣を向上させることができる。